(57)【要約】【課題】小型化のために可動レンズをマウント近傍に配置するに際し、レンズを可動するカム機構が複雑化せず、コストアップとなることのないレンズ装置、及び該レンズ装置を着脱交換可能としたカメラシステムを提供する。【解決手段】マウント当接面（Ｍ面）よりも撮像面側に位置するレンズを保持するレンズ保持鏡筒２５と、前記レンズ保持鏡筒を駆動するカム部を有するカム筒２１と、前記レンズ保持鏡筒の移動をガイドするガイド部を有する案内筒２２とを備えたレンズ装置であって、前記カム筒のカム部及び前記案内筒のガイド部の少なくとも一部が、前記レンズ装置のマウント当接面（Ｍ面）よりも撮像面側に配置された構成とする。【選択図】            図１
2006221110.tif 000002
【特許請求の範囲】
【請求項１】
カメラの撮像面側に位置するレンズを保持するレンズ保持鏡筒と、前記レンズ保持鏡筒を駆動するカム部を有するカム筒と、前記レンズ保持鏡筒の移動をガイドするガイド部を有する案内筒とを備えたレンズ装置であって、
前記カム筒のカム部及び前記案内筒のガイド部の少なくとも一部が、前記レンズ装置に設けられた前記カメラへの取り付け部の位置よりも前記カメラの撮像面側に配置されていることを特徴とするレンズ装置。
【請求項２】
前記案内筒が、前記カム筒の外径側に配置されていることを特徴とする請求項１に記載のレンズ装置。
【請求項３】
前記レンズ装置における電気回路を構成するメイン基板が、前記カメラへの取り付け部近傍の前記案内筒の外径側に、円環状に組み込まれていることを特徴とする請求項１または請求項２に記載のレンズ装置。
【請求項４】
レンズ装置とカメラとを備え、該レンズ装置に設けられた該カメラへの取り付け部を介して該レンズ装置を該カメラに着脱交換可能としたカメラシステムにおいて、前記レンズ装置が請求項１〜３のいずれか１項に記載のレンズ装置によって構成されることを特徴とするカメラシステム。
【発明の詳細な説明】
【技術分野】
【０００１】
本発明は、レンズ装置、及び該レンズ装置を交換可能としたカメラシステムに関し、特にデジタル一眼レフカメラの交換レンズ等におけるレンズ装置に関する。
【背景技術】
【０００２】
従来、一眼レフカメラやデジタル一眼レフカメラの交換レンズ等において、交換レンズを小型化するため、交換レンズのマウント近傍に配置するレンズを、できる限り撮像面側（フィルム面側）に配置する構成が採られてきた。その結果、交換レンズのマウント当接面の近傍にレンズが配置され、このようなレンズを保持するレンズ保持鏡筒を駆動するカム筒及び案内筒も、マウント近傍に配置されることになる。その結果、例えば特許文献１に示されている交換レンズのメカ構造のように、ズームレンズを構成するレンズ群の中で最も撮像面側（フィルム面側）のレンズ群はマウント近傍にあり、そのレンズ鏡筒を駆動するカムを有するカム筒と直進ガイド部を有する案内筒もマウント近傍に配置されることになる。
【０００３】
この特許文献１の交換レンズのメカ構造は、具体的には図３に示されるように４群構成のズームレンズで構成され、ズーム操作環７を回転させることで、ズームカム環４を回転させ、ズームカム環４に設けたカム溝と固定筒３に設けた直進ガイド溝により、レンズ鏡筒を可動させ、ズーミングを行っている。
また、最も撮像面側（フィルム面側）の４群レンズＧ４は、ズームカム環４とは異なる別の４群カム環１６により動かされており、このズームカム環４と４群カム環１６は、第二ズーム連動レバー８ｂにより一体的に回転し、光軸方向には連動した移動は行わないように構成されている。
この４群カム環１６に設けた４群駆動用のカム溝１６ａと、直進移動する３群移動枠１１に設けた直進ガイド溝により、４群レンズＧ４は光軸方向に移動して、ズーミングが行われるように構成されている。
【特許文献１】特開平９−２０３８４９号公報
【発明の開示】
【発明が解決しようとする課題】
【０００４】
しかしながら、上記従来例における特許文献１の交換レンズのメカ構造は、つぎのような問題を有している。
（１）マウント近傍にある４群レンズＧ４を可動するカム機構が、その他のレンズ群の可動機構とは別の部品で構成されているため、部品点数が多くなる。そのため、コストアップになるばかりでなく、部品点数の増大によりズーム駆動の精度を保証することが困難となる。
（２）二つのカム機構を第二ズーム連動レバー８ｂにより連結しているため、４群レンズが他のレンズ群に対して遅れをもって駆動されることになり、ズーム作動時の像跳び現象やズーム操作時のピント移動が生じ易くなる。
（３）ズームカム環４と４群カム環１６を連結する第二ズーム連動レバー８ｂが回転するため、第二ズーム連動レバー８ｂの回転範囲を避けて、固定筒３の固定部を設ける必要があり、そのため固定強度の確保が難しくなる。また、ズームカム環４と４群カム環１６を一体的なカム環で構成しようとすると、固定筒３の固定方法が難しくなる。
（４）マウント近辺に配したレンズを可動する４群カム環１６が３群移動枠１１の外径側に配置されているので、４群カム環１６の外径側にあるフォーカスユニットや電気回路などを形成するプリント配線基板などと干渉をさけるために十分なクリアランスを確保する必要があり、そのためフォーカスユニットやプリント配線基板のスペースが圧迫される。
以上のような問題は、マウント近傍に配置したレンズ群であれば、ズームレンズに限ったことではなく、短焦点レンズのフォーカスレンズ群でも同様な問題が生じる。
【０００５】
本発明は、上記課題に鑑み、小型化のために可動レンズをマウント近傍に配置するに際し、レンズを可動するカム機構が複雑化せず、コストアップとなることのないレンズ装置、及び該レンズ装置を着脱交換可能としたカメラシステムを提供することを目的とするものである。
【課題を解決するための手段】
【０００６】
本発明は、上記課題を達成するため、つぎのように構成したレンズ装置、及び該レンズ装置を交換可能としたカメラシステムを提供するものである。
すなわち、本発明のレンズ装置は、カメラの撮像面側に位置するレンズを保持するレンズ保持鏡筒と、前記レンズ保持鏡筒を駆動するカム部を有するカム筒と、前記レンズ保持鏡筒の移動をガイドするガイド部を有する案内筒とを備えたレンズ装置であって、前記カム筒のカム部及び前記案内筒のガイド部の少なくとも一部が、前記レンズ装置に設けられた前記カメラへの取り付け部の位置よりも前記カメラの撮像面側に配置されていることを特徴としている。
また、本発明のカメラシステムは、レンズ装置とカメラとを備え、該レンズ装置に設けられた該カメラへの取り付け部を介して該レンズ装置を該カメラに着脱交換可能としたカメラシステムにおいて、前記レンズ装置が上記したいずれかに記載のレンズ装置によって構成されることを特徴としている。
【発明の効果】
【０００７】
本発明によれば、小型化のために可動レンズをマウント近傍に配置するに際し、レンズを可動するカム機構が複雑化せず、コストアップとなることのないレンズ装置、及び該レンズ装置を着脱交換可能としたカメラシステムを実現することができる。
【発明を実施するための最良の形態】
【０００８】
本発明は、上記構成により本発明の課題を達成することができるが、本発明の実施の形態においては、このレンズ装置を、より具体的には、交換レンズのマウント取り付け面よりも撮像側に位置するレンズを保持するレンズ保持鏡筒（図１の４群鏡筒２５参照）と、前記レンズ保持鏡筒を駆動するカム部を有するカム筒と（図１のカム筒２１参照）、前記カム筒の外径側に配置され前記レンズ保持鏡筒の移動をガイドするガイド部（図１の案内筒２２参照）を備えた構成とし、前記カム筒のカム部（図２の２１ｃ）及び前記案内筒のガイド部（図２の２２ｂ）の少なくとも一部はマウント取り付け面よりも撮像面側に配置した構成としている。
本実施の形態によれば、カム筒に設けたカム溝の位置を撮像側に寄せられるので、交換レンズをカメラ本体に取り付けたときの全長を短くすることが可能となる。また、案内筒がカム筒の外側に配置されているので、レンズ保持鏡筒を可動するカム筒は一体のカム筒として構成することが可能となり、部品点数削減にもなり、低コスト化を図ることが可能となる。
【実施例】
【０００９】
以下に本発明の実施例について説明する。
本発明の実施例においては、上記した本発明を適用して一眼レフカメラ及びデジタル一眼レフカメラに使用可能な交換レンズを構成した。
図１に本実施例における交換レンズの断面構成を示す。
図１において、１８は、一眼レフカメラ及びデジタル一眼レフカメラに使用可能な交換レンズであり、１９はカメラ本体、２０はマウントである。この交換レンズは、バイヨネットマウントであり、マウント２０のＭ面でカメラ本体１９と光軸方向に当接している。
【００１０】
撮影レンズの構成は、固定の第一レンズ群Ｌ１、可動の第二レンズ群Ｌ２、可動の第三レンズ群Ｌ３、可動の第四レンズ群Ｌ４からなる。
２１はカム筒であり、カム筒２１は案内筒２２の内径側に配置されていて、カム筒２１はフォーカス時に定位置回転するように、カム筒２１の外形側に固定した三個のコロ３０が案内筒２２の周溝２２ｄに係合して、カム筒２１の光軸方向の移動を規制しながら、回転は可能な構成となっている。カム筒２１には、２群移動用カム溝２１ａ、３群移動用カム溝２１ｂ、４群移動用カム溝２１ｃが設けられている。
また、２２は、案内筒であり、案内筒２２には２群用直進ガイド溝２２ａ、３，４群用直進ガイド溝２２ｂが設けてある。
【００１１】
２３は第二レンズ群を保持する２群鏡筒、２４は第三レンズ群を保持する３群鏡筒、２５は第四レンズ群を保持する４群鏡筒である。
これらの２群鏡筒２３、３群鏡筒２４、４群鏡筒２５には、それぞれ外径側の三箇所に円筒形のカムフォロアー２６、２７、２８が取り付けられている。カム環２１のそれぞれのカムの軌跡に沿って各レンズ群は駆動され、その結果フォーカスの合焦がなされる。
２９は固定筒であり、案内筒２２は固定筒２９によりマウント２０に固定されている。また、固定筒２９の被写体側には、超音波モータが組み込まれたフォーカスユニット４０が配置されている。このフォーカスユニットには、差動機構が構成されており、マニュアル操作環３７の回転及び超音波モータのローター３１の回転をフォーカスキー３２からカム筒２１に固定したフォーカスコロ３３を通じて、カム筒２１を回転させることで、マニュアルフォーカス及びオートフォーカスを行っている。
また交換レンズ内部の電気回路を構成するメイン基板３４が、マウント近傍の案内筒２２の外形側に円環状に組み込まれており、接点ブロック３６を通じて、カメラとの通信や電源の供給を受けながら、レンズ内のフォーカスや絞り３５の制御を行っている。
【００１２】
図２に本実施例におけるカム溝及び直進ガイド溝の配置構成を示す。
図２に示すように、第四レンズ群を駆動する４群移動用カム溝２１ｃ及び４群用直進ガイド溝２２ｂの一部は、マウント当接面（Ｍ面）よりも撮像側に延出している。それにより、カム筒２１に設けたカム溝（２１ａ，２１ｂ，２１ｃ）の位置が撮像側に寄せられるので、カム筒２１及び案内筒２２の配置を、撮像側に寄せることができる。従って、交換レンズ１８をカメラ本体１９に取り付けたときの全長を短くすることが可能となる。
また、本実施例によれば、カム筒２１を案内筒２２の内側に搭載しているので、２群鏡筒２３、３群鏡筒２４及び４群鏡筒２５を可動するカム筒２１は一体のカム筒として構成が可能である。従って、カム筒２１を各群に対して分割して配置する必要がないため、部品の数の削減にもなり、コスト削減になる。
また、各レンズ群の駆動の遅れが一つのカム筒で管理されるので像跳びやピント移動を生じさせる要因を削減することができる。
【００１３】
ここで仮に、カム筒２１を案内筒２２の外径側に配置した場合には、案内筒２２とフォーカスユニット４０や固定筒２９などとの固定に際しては、特許文献１のように駆動用のカム筒を分割して配置するとともに、第二ズーム連動キーなどを用いて回転の連結を行わなければならない。したがって、カム筒２１を案内筒２２の外径側に配置する構成は、部品の数及び精度などの面からみて、好ましくない構成である。
また、本実施例のように案内筒２２をカム筒２１の外径側に配置した構成とすることで、交換レンズ内部の電気回路を構成するドーナツ状のメイン基板３４を案内筒２２のぎりぎりまで、マウント当接面（Ｍ面）に近接させて配置することが可能となるため、メイン基板３４の実装面積の確保が容易になる。
【図面の簡単な説明】
【００１４】
【図１】本発明の実施例における交換レンズの構成を示す断面図である。
【図２】本発明の実施例におけるカム溝及び直進ガイド溝の配置を示す図である。
【図３】従来例である特許文献１におけるカメラのレンズ鏡筒の構成を示す図である。
【符号の説明】
【００１５】
１８：交換レンズ
１９：カメラ本体
Ｌ４：第四レンズ群
２０：マウント
２１：カム筒
２１ｃ：４群移動用カム溝
２２：案内筒
２２ｂ：３，４群用直進ガイド溝
２５：４群鏡筒
【図１】
2006221110.tif 000003
【図２】
2006221110.tif 000004
【図３】
2006221110.tif 000005